(57)【要約】【課題】  屋外が透視できて、しかも従来ブラインドのような遮光性能を有するカーテン用の柔軟な立体織物を提供することにある。【解決手段】  緯糸が密接して織り込まれた細長い帯状のスラットと、透視可能な間隔で配置された地経糸に緯糸のない細長い帯状の隙間を組合せて構成された遮光ユニットを繰り返し無数に連続させて平らな織物を形成し、この平らな織物のスラットと隙間の境目に位置する軸緯糸を境にしてジグザクに折りたたんで基本織物を形状し、この基本織物の形状を維持するために前面側並びに後面側のそれぞれにおいて、隣接する軸緯糸相互を直結するように柱状経糸を軸緯糸にからみ織りで絡ませて構成した立体織物。【選択図】図２
2006336146.tif 000002
【特許請求の範囲】
【請求項１】
緯糸が密接して織り込まれた細長い帯状のスラットと、透視可能な間隔で配置された地経糸のみで緯糸のない細長い帯状の隙間とで構成した遮光ユニットを無数に連続させた平らな織物を、各遮光ユニットのスラットと隙間の境目に位置する軸緯糸を境にしてジグザクに折りたたんで基本織物を形成し、この基本織物の前面側並びに後面側のそれぞれにおいて、隣接する軸緯糸相互を直結するように柱状経糸を軸緯糸にからみ織りで絡ませて構成したことを特徴とする立体織物。
【発明の詳細な説明】
【技術分野】
【０００１】
本発明は、日除けや目隠しを目的としてガラス窓の内側に吊り下げるカーテン等に用いる織物の改良に関するものである。
【背景技術】
【０００２】
太陽直射光から日除けしたり、屋外からの覗き見を阻止するために、細長い帯状のスラットを所定の間隔を保って上下に吊り下げる方法のブラインドや、レースと称される比較的に目の粗い薄手のカーテンで直射光を和らげる方法が広く実用されている。しかし、スラットを組み合わせた従来ブラインドは、機構的な雰囲気が強いためにビル窓など事務的な部屋の窓には適していても、和室など居住部屋の窓には不向きな傾向があった。また、カーテンでは屋外を透視できるように織り目を粗くすると、目隠しや日除けの性能が低下する不都合があり、厚手のカーテンや遮光専用のカーテンと組み合わせて使用するのが一般的であった。目隠しや日除けの機能を有し、かつ透視できるカーテン用の織物として次のような方法が提案されている。
【特許文献１】特開２００１−２９５１５４
【特許文献２】特開平０９−０００４２５  しかし、これらの方法は経糸や緯糸を幾重にも重ねる方法であり、平面的な織物となるために透視度の確保が難しく、織り方も複雑で製造が煩雑なのではないかと考えられる。また、構造的には第７図のように緯糸に対して経糸を相互に逆方向に織る方法が考えられるが、製造が極めて困難で実用的ではなかった。
【発明の開示】
【発明が解決しようとする課題】
【０００３】
本発明は上記の事由に鑑みて、ブラインドのような遮光性能を有し、しかもカーテンのように柔軟な遮光を目的とした立体的な織物を既存の織り方の組合せで実現させることにある。
【課題を解決するための手段】
【０００４】
本発明の立体織物は経糸と緯糸で織られたスラットを所定の間隔で無数に配列した平らな織物を、ジグザグに折りたたんで基本織物を形成し、スラットの両端に位置する軸緯糸相互を柱状経糸とからみ織りで絡ませて直結させ前記課題を解決するものである。
【発明の効果】
【０００５】
従来ブラインドと同様に広い範囲での遮光が可能である上に、全体が一体の織物として形成できるので、従来カーテンと変わらない柔軟さを確保でき、柔らかな室内雰囲気を演出することができる。また、広く普及している平織やからみ織りを組合わせた織物なので製造が容易な利点がある。
【発明を実施するための最良の形態】
【０００６】
緯糸が密接して織り込まれた細長い帯状のスラットと、透視可能な間隔で配置された地経糸のみで緯糸のない細長い帯状の隙間を組合せて構成した遮光ユニットを無数に連続させた平らな織物を、各遮光ユニットのスラットと隙間の境目に位置する軸緯糸を境にしてジグザクに折りたたんで基本織物を形成し、この基本織物の形状を維持するために前面側並びに後面側のそれぞれにおいて、隣接する軸緯糸相互を直結するように柱状経糸を軸緯糸にからみ織りで絡ませて立体織物を構成する。カーテンやブラインドとして利用するには柱状経糸に吊り具を取り付けて立体織物を窓の内側等に吊り下げて使用する。日除けや目隠しの範囲や程度を加減するには釣り具の吊り加減を調節してスラットの傾きを変えることで容易に可能となる。
【実施例】
【０００７】
図面において本発明を説明すると、２は地経糸３と緯糸４で織られたスラット５と、地経糸３だけで緯糸４のない隙間６で構成された遮光ユニットである。緯糸４は遮光のために平織などで密接して織られており、地経糸３は経糸３ａと経糸３ｂの一対で緯糸４に織り込まれている。７は遮光ユニット２を地経糸３で無数に連結した平らな織物を、スラット５と隙間６の境目に位置する軸緯糸４ａを境にしてジグザクに折りたたんで形成された基本織物である。また、８はこの基本織物７の形状を維持するために、基本織物７の前面側並びに後面側のそれぞれにおいて、隣接する軸緯糸相互を直結するように軸緯糸４ａにからみ織りで絡ませた柱状経糸である。図３はひと組の地経糸３と緯糸４の関係を平面的に展開したものである。
【０００８】
また、柱状経糸８は３本の経糸８ａ、８ｂ、８ｃで構成され、スラット５の両端に位置する軸緯糸４ａだけにからみ織りで絡ませた構成にある。図４は柱状経糸８と軸緯糸４ａとのからみ織りの状態を示すものである。スラットには緯糸４を密接させるために平織が適しているが、軸緯糸４ａと地経糸３とは織りが緩まないようにからみ織りにすることが望ましい。また、地経糸３、柱状経糸８は適度な間隔で空けて隙間６から織物を貫いて透視できるように配置する。
【０００９】
本発明の立体織物１は、基本織物７の前面側と後面側においてからみ織りで軸緯糸４ａを柱状経糸８で固定する方法であるため、ジグザグに折りたたまれた基本織物７の型崩れがなく、順序良く製織できるものである。
【００１０】
柱状経糸８と軸緯糸４ａを平織で織ると、隙間６部分に軸緯糸４ａや他の緯糸４がずれてスラット５の形が崩れて隙間６が減少したり、柱状経糸８に軸緯糸４ａを固定できなくなって立体織物としての形状を保つことができなくなるから、少なくとも柱状経糸８と軸緯糸４ａは緩まないようにからみ織りにすることが必要不可欠である。全ての緯糸４をからみ織りにするとより型崩れの少ない立体織物にできるが、スラット５の目が粗くなるため遮光性能が幾分低下する。
【００１１】
なお、理解を容易にするために、柱状経糸８と軸緯糸４ａを強固に固定する方法として柱状経糸８を８ａ、８ｂ、８ｃの３本組のからみ織りで説明したが、柱状経糸を８ａ、８ｂの２本組でからみ織りにしても基本的な作用は変わらない。更に単純な方法として、柱状経糸８の本数を減らして柱状経糸８ａだけとし、地経糸３の経糸３ａと３ｂと組合わせて３本組のからみ織りで立体織物１を形成しても本発明立体織物の基本的な構成は変わらない。
【００１２】
ブラインドとしての遮光や目隠しの効果を高めるために、隙間６の幅はスラットの幅とほぼ同じか、それ以下に設定することが望ましい。また、スラット５の幅が広くなると自重で幅方向に湾曲して隙間６の有効な幅を減少させることになる。湾曲しないようにスラットを糊付けにしたり、樹脂を含浸させるとよい。実用的なスラットと隙間の幅は織糸にも関係するが０．５から１０ｍｍ程度の範囲と考えられる。
【００１３】
以上の如く本発明の立体織物は、スラットと隙間の組合せで構成された遮光ユニットを無数に並べてなる平らな織物を、スラットと隙間の境目でジグザクに折りたたんで基本織物となし、この形状を柱状経糸で固定する構造であるため、図５の如く柱状経糸が垂直になるように吊り具（図示せず）で窓内側などに吊り下げれば、スラット５が従来公知のブラインドのスラットと同様に遮光や目隠しとして機能し、また、隙間から屋内外を透視できてブラインドとして機能するものである。吊り具での吊り加減を調節してスラットの傾斜角度αを変えることで遮光や目隠しの範囲を調節することができるから、従来公知のブラインドと同様に機能し、また、全体が一体の織物として形成できるので、従来カーテンと同様の柔軟さを確保でき、柔らかな室内雰囲気を演出できるなどの特徴がある。
【００１４】
なお、上述では、地経糸３の水平部分に緯糸４を織り込んでスラット５とし、垂直部分には緯糸４を入れずに隙間６を形成した立体織物として説明したが、図６は地経糸３の垂直部分に緯糸４を織り込んでスラット５とし、反対に水平部分を緯糸４を入れずに隙間６として形成した立体織物を示している。織物としての構成は図３の場合と同様であるが、スラット５が隙間６に相当する段差を持って２列でジグザグに並んだ状態の立体織物となる。この立体織物をブラインドとして使用すると、図６のように水平方向には透視できないが、斜め上下方向には隙間を通して透視できて遮光範囲が異なるブラインドとして機能する。また、吊り具（図示せず）を加減してスラットの傾斜角度αを変えることで上下方向の段差や隙間６の幅を加減できるので遮光方角や遮光範囲を調節することも可能となる。
【００１５】
また、上述では、柱状経糸８は軸緯糸３とだけからみ織りされる如く説明したが、この織り方では地経糸３がジグザグに蛇行して織られるのに対して、柱状経糸８は直線的に織られるから必要な糸の長さに大きな差がでることになる。これらを平均化するには、柱状経糸８と地経糸３のいずれもが交わる軸緯糸４ａとの交点で柱状経糸８と地経糸３の役割を順に入れ替えればよい。このことは織機の織順を変更するだけで可能であり、このことで本発明の立体織物の構成が本質的に変わるものではない。
【図面の簡単な説明】
【００１６】
【図１】立体織物の正面の模型図である。
【図２】立体織物の断面の模型図である。
【図３】地経糸と緯糸の関係を示した組織図である。
【図４】柱状経糸と軸緯糸の関係を示した組織図である。
【図５】立体織物で構成されたブラインドの説明図である。
【図６】スラットを垂直に並べた立体織物の説明図である。
【図７】遮光を目的とした立体織物の概念説明図である。
【符号の説明】
【００１７】
１    立体織物
２    遮光ユニット
３    地経糸
３ａ    前面側の地経糸
３ｂ    後面側の地経糸
４    緯糸
４ａ    軸緯糸
５    スラット
６    隙間
７    基本織物
８    柱状経糸
８ａ    経糸
８ｂ    経糸
８ｃ    経糸
９ａ    経糸
９ｂ    経糸
１０  緯糸
【図１】
2006336146.tif 000003
【図２】
2006336146.tif 000004
【図３】
2006336146.tif 000005
【図４】
2006336146.tif 000006
【図５】
2006336146.tif 000007
【図６】
2006336146.tif 000008
【図７】
2006336146.tif 000009